Podtech/llm-jp-corpus-v4-ja_patent huggingface dataset:
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、
演出を実行する演出実行手段と、
前記演出実行手段を制御する演出制御手段とを備え、
前記演出制御手段は、
特典に関する示唆をする特定演出を実行させる第１演出制御手段と、
前記特定演出を実行させているときに当該特定演出とは異なる特殊演出を実行させることが可能であり、当該特殊演出を実行させた後に前記特定演出に替えて特殊後特定演出を実行させる第２演出制御手段とを含み、
特典が付与されるか否かおよび付与される特典の有利度に応じて前記特殊演出を実行するか否かを決定し、
前記特定演出として前記特殊後特定演出よりも特典に関する期待度が高い期待高特定演出を実行させているときに、前記特殊演出の実行を制限し、
前記特殊後特定演出が実行されたときの方が、前記特殊後特定演出が実行されないときよりも特典に関する期待度が高いことを特徴とする、遊技機。
【手続補正２】
【補正対象書類名】明細書
【補正対象項目名】０００７
【補正方法】変更
【補正の内容】
【０００７】
（１）  遊技を行なうことが可能な遊技機（スロットマシン、パチンコ機など）であって、
演出を実行する演出実行手段（液晶表示器５１、演出効果ＬＥＤ５２、スピーカ５３、５４、リールＬＥＤ５５など）と、
前記演出実行手段を制御する演出制御手段（サブ制御部９１により実行される演出制御処理）とを備え、
前記演出制御手段は、
特典に関する示唆をする特定演出（バトル演出）を実行させる第１演出制御手段と、
前記特定演出を実行させているときに当該特定演出とは異なる特殊演出（割込演出）を実行させることが可能であり、当該特殊演出を実行させた後に前記特定演出に替えて特殊後特定演出（切替演出）を実行させる第２演出制御手段（図１６、図１９）とを含み、
特典が付与されるか否かおよび付与される特典の有利度に応じて前記特殊演出を実行するか否かを決定し、
前記特定演出として前記特殊後特定演出よりも特典に関する期待度が高い期待高特定演出（バトル演出４）を実行させているときに、前記特殊演出の実行を制限し（図１９のＳ２０）、
前記特殊後特定演出が実行されたときの方が、前記特殊後特定演出が実行されないときよりも特典に関する期待度が高い。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
始動条件の成立に基づいて、遊技者にとって有利な特別遊技を行うか否かの特別遊技判定を行う特別遊技判定手段と、
前記特別遊技判定の結果が特定の結果である場合に、前記特別遊技として特定の入賞領域の開閉処理を複数回に亘って実行する特別遊技実行手段と、
前記特別遊技判定の結果が前記特定の結果である場合に、前記特定の結果の種類を特定する種類特定手段と、を備え、
前記特定の結果の種類が第１の種類又は第２の種類である場合、前記特定の入賞領域を相対的に短い時間開放する短開放ラウンドの複数回実行を含む遊技が前記特別遊技として実行され、前記特定の結果の種類が第３の種類である場合、前記特定の入賞領域を相対的に長い時間開放する長開放ラウンドの複数回実行を含む遊技が前記特別遊技として実行され、
前記特定の結果の種類が前記第１の種類である場合と前記第２の種類である場合とで、複数回の短開放ラウンドのパターンが互いに異なり、
前記特定の結果の種類が前記第１の種類又は第２の種類である場合の前記複数回の短開放ラウンドは、互いに隣接する第１、第２の短開放ラウンドと互いに隣接する第３、第４の短開放ラウンドとを含み、
第１及び第２の短開放ラウンド間のインターバル時間と第３及び第４の短開放ラウンド間のインターバル時間は、前記特定の結果の種類が前記第１の種類である場合において互いに共通である一方で、前記特定の結果の種類が前記第２の種類である場合において互いに異なる
ことを特徴とする遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、遊技の興趣が向上しうる遊技機を提供することを目的とする。
【手続補正４】
【補正対象書類名】明細書
【補正対象項目名】０００７
【補正方法】変更
【補正の内容】
【０００７】
本発明に係る遊技機は、始動条件の成立に基づいて、遊技者にとって有利な特別遊技を行うか否かの特別遊技判定を行う特別遊技判定手段と、前記特別遊技判定の結果が特定の結果である場合に、前記特別遊技として特定の入賞領域の開閉処理を複数回に亘って実行する特別遊技実行手段と、前記特別遊技判定の結果が前記特定の結果である場合に、前記特定の結果の種類を特定する種類特定手段と、を備え、前記特定の結果の種類が第１の種類又は第２の種類である場合、前記特定の入賞領域を相対的に短い時間開放する短開放ラウンドの複数回実行を含む遊技が前記特別遊技として実行され、前記特定の結果の種類が第３の種類である場合、前記特定の入賞領域を相対的に長い時間開放する長開放ラウンドの複数回実行を含む遊技が前記特別遊技として実行され、前記特定の結果の種類が前記第１の種類である場合と前記第２の種類である場合とで、複数回の短開放ラウンドのパターンが互いに異なり、前記特定の結果の種類が前記第１の種類又は第２の種類である場合の前記複数回の短開放ラウンドは、互いに隣接する第１、第２の短開放ラウンドと互いに隣接する第３、第４の短開放ラウンドとを含み、第１及び第２の短開放ラウンド間のインターバル時間と第３及び第４の短開放ラウンド間のインターバル時間は、前記特定の結果の種類が前記第１の種類である場合において互いに共通である一方で、前記特定の結果の種類が前記第２の種類である場合において互いに異なることを特徴とする。
【手続補正５】
【補正対象書類名】明細書
【補正対象項目名】０００８
【補正方法】変更
【補正の内容】
【０００８】
本発明に係る他の遊技機は、始動条件の成立に基づいて、遊技者にとって有利な特別遊技を行うか否かの特別遊技判定を行う特別遊技判定手段と、前記特別遊技として特定の入賞領域の開閉処理を複数回に亘って実行する特別遊技実行手段と、を備え、前記特別遊技実行手段は、前記特別遊技判定の結果が特定の結果である場合に、前記特別遊技として、前記特定の入賞領域の開放時間が相対的に長い長開放を第１の所定回数実行する長開放ラウンドと、前記特定の入賞領域の開放時間が相対的に短い短開放を第２の所定回数実行する短開放ラウンドと、を含む特別遊技を実行し、前記特別遊技実行手段は、前記短開放ラウンドにおいて、各短開放の間にインターバル時間として互いに異なるインターバル時間を設定可能であることを特徴とする。
【手続補正６】
【補正対象書類名】明細書
【補正対象項目名】０００９
【補正方法】変更
【補正の内容】
【０００９】
本発明に係る更に他の遊技機は、始動条件の成立に基づいて、遊技者にとって有利な特別遊技を行うか否かの特別遊技判定を行う特別遊技判定手段と、前記特別遊技判定の結果が特定の結果である場合に、前記特別遊技として特定の入賞領域の開閉処理を複数回に亘って実行する特別遊技実行手段と、前記特別遊技中に実行される演出に用いられる演出音を出力可能な音声出力手段と、前記特別遊技中における前記音声出力手段からの演出音の出力タイミングとして、互いに異なる複数の出力タイミングから１の出力タイミングを設定する出力タイミング設定手段と、前記出力タイミング設定手段により設定された出力タイミングにより、前記音声出力手段からの演出音の出力を制御する演出音出力制御手段と、を備えることを特徴とする。
【手続補正７】
【補正対象書類名】明細書
【補正対象項目名】００１０
【補正方法】変更
【補正の内容】
【００１０】
本発明によれば、遊技の興趣が向上しうる遊技機を提供することが可能となる。
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に設けられた始動口に遊技球が入球することにより取得された判定情報に基づいて、遊技者に有利な特別遊技をおこなうか否かを判定する特別判定をおこなう特別判定手段と、
前記特別判定の判定結果に基づいて、図柄を変動表示させてから、当該図柄を停止表示させる図柄表示制御手段と、
前記判定情報を記憶する記憶手段と、
前記記憶手段に記憶されている前記判定情報に基づく前記特別判定がおこなわれる前に、前記特別遊技をおこなうか否かを事前に判定する事前判定をおこなう事前判定手段と、
前記特別判定において前記特別遊技をおこなうと判定されると、前記図柄表示手段に図柄が停止表示された後に、当該特別遊技をおこなう特別遊技実行手段と、
演出手段に演出をおこなわせる演出制御手段と、を備え、
前記演出制御手段は、
前記事前判定の判定結果に基づいて、連続演出をおこなわせるか否かを判定する連続演出判定をおこなう連続演出判定手段と、
前記連続演出判定において前記連続演出をおこなわせると判定されると、前記図柄表示手段に複数回にわたって図柄が変動表示されているときに、第１の連続演出又は該第１の連続演出とは異なる第２の連続演出をおこなわせる連続演出制御手段と、を有し、
前記連続演出判定手段は、前記事前判定において前記特別遊技をおこなうと判定された場合および前記特別遊技をおこなわないと判定された場合の何れであっても、前記連続演出をおこなわせると判定することが可能であり、
前記連続演出制御手段は、前記第１の連続演出をおこなわせているときに、新たに前記連続演出判定において前記連続演出をおこなわせると判定されると、当該第１の連続演出と並行して前記第２の連続演出をおこなわせること
を特徴とする遊技機。
【請求項２】
前記連続演出制御手段は、前記第１の連続演出と並行して前記第２の連続演出をおこなわせているときには、前記第１の連続演出を前記第２の連続演出よりも先に終了させること
を特徴とする請求項１に記載の遊技機。
【手続補正２】
【補正対象書類名】明細書
【補正対象項目名】０００６
【補正方法】変更
【補正の内容】
【０００６】
［適用例１］
遊技球が流下可能な遊技領域（２０）に設けられた始動口（２１，２２）に遊技球が入球することにより取得された判定情報に基づいて、遊技者に有利な特別遊技をおこなうか否かを判定する特別判定をおこなう特別判定手段（１００，Ｓｉ５７）と、前記特別判定の判定結果に基づいて、図柄を変動表示させてから、当該図柄を停止表示させる図柄表示制御手段（１００，Ｓｉ６３）と、前記判定情報を記憶する記憶手段（１０３）と、前記記憶手段に記憶されている前記判定情報に基づく前記特別判定がおこなわれる前に、前記特別遊技をおこなうか否かを事前に判定する事前判定をおこなう事前判定手段（１００，Ｓｉ２５，Ｓｉ３１）と、前記特別判定において前記特別遊技をおこなうと判定されると、前記図柄表示手段に図柄が停止表示された後に、当該特別遊技をおこなう特別遊技実行手段（１００）と、演出手段（６）に演出をおこなわせる演出制御手段（４００）と、を備え、前記演出制御手段は、前記事前判定の判定結果に基づいて、連続演出をおこなわせるか否かを判定する連続演出判定をおこなう連続演出判定手段（４００，Ｓ１８０４，Ｓ１８０５，Ｓ１８０８，Ｓ１８１１）と、前記連続演出判定において前記連続演出をおこなわせると判定されると、前記図柄表示手段に複数回にわたって図柄が変動表示されているときに、第１の連続演出又は該第１の連続演出とは異なる第２の連続演出をおこなわせる連続演出制御手段（４００，Ｓ１８１４）と、を有し、前記連続演出判定手段は、前記事前判定において前記特別遊技をおこなうと判定された場合および前記特別遊技をおこなわないと判定された場合の何れであっても、前記連続演出をおこなわせると判定することが可能であり、前記連続演出制御手段は、前記第１の連続演出をおこなわせているときに、新たに前記連続演出判定において前記連続演出をおこなわせると判定されると、当該第１の連続演出と並行して前記第２の連続演出をおこなわせることを特徴とする。
［適用例２］
適用例１に記載の遊技機であって、前記連続演出制御手段は、前記第１の連続演出と並行して前記第２の連続演出をおこなわせているときには、前記第１の連続演出を前記第２の連続演出よりも先に終了させることを特徴とする。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
白金からなるシェル層と、前記シェル層に覆われた白金以外の金属よりなるコア粒子とからなる、コア／シェル構造を有する触媒粒子が担体に担持された触媒の製造方法であって、
前記コア粒子を担持した前記担体を、銅イオンを含む電解液中で電解し、コア粒子表面に銅を析出させる電解処理工程と、
銅を析出させた前記コア粒子に、白金化合物溶液を接触させることにより、コア粒子表面の銅を白金で置換し、白金からなるシェル層を形成する置換反応工程を含み、
前記置換反応工程の白金化合物溶液は、クエン酸を含み、
前記電解処理工程の電解液の溶存酸素量を１ｐｐｍ以下とすることを特徴とする触媒の製造方法。
【請求項２】
白金化合物溶液中のクエン酸の含有量は、白金化合物のモル数を基準として４０倍以下である請求項１記載の触媒の製造方法。
【請求項３】
電解処理工程は、コア粒子を担持した担体を作用極上に堆積させて電解処理を行うものである請求項１又は請求項２に記載の触媒の製造方法。
【請求項４】
コア粒子を構成する金属は、パラジウム、イリジウム、ロジウム、金又はこれらの金属の合金である請求項１〜請求項３のいずれかに記載の触媒の製造方法。
【手続補正書】
【提出日】平成29年8月29日(2017.8.29)
【手続補正１】
【補正対象書類名】特許請求の範囲
【補正対象項目名】請求項９
【補正方法】変更
【補正の内容】
【請求項９】
前記温度応答部位が、単量体として、アクリルアミド誘導体、メタクリル酸誘導体、アクリル酸誘導体、ビニルアルコール誘導体、リジン誘導体、グルタミン酸誘導体、アスパラギン酸誘導体、乳酸、ジオール誘導体、カプロラクタム類、カプロラクトン類、糖類、及び、シロキサン類からなる群より選択される少なくとも１種を含むことを特徴とする請求項１に記載の吸着材。
【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
演出において動作可能に設けられた可動役物と、
演出において発光可能に設けられた発光手段と、
を備え、
前記発光手段は、前記可動役物の動作を確認する場合の確認結果を演出の場合とは異なる発光態様で報知することを特徴とする遊技機。
【請求項２】
演出において動作可能に設けられた可動役物と、
演出において発光可能に設けられた発光手段と、
を備え、
前記発光手段は、前記可動役物の動作を確認する場合の確認結果を発光態様で報知し、確認結果が所定の場合でない場合に当該発光態様以外の他の発光態様で報知することを特徴とする遊技機。
【手続補正２】
【補正対象書類名】明細書
【補正対象項目名】０００６
【補正方法】変更
【補正の内容】
【０００６】
本発明が適用される遊技機は、演出において動作可能に設けられた可動役物（例えば可動役物１１５）と、演出において発光可能に設けられた発光手段（例えば枠ランプ１５７，１５７ａ，１５７ｂ，１５７ｃ，１５７ｄ）と、を備え、前記発光手段（例えば枠ランプ１５７，１５７ａ，１５７ｂ，１５７ｃ，１５７ｄ）は、前記可動役物（例えば可動役物１１５）の動作を確認する場合の確認結果を演出の場合とは異なる発光態様で報知することを特徴とする遊技機（例えばパチンコ遊技機１００）である。
また、本発明が適用される遊技機は、演出において動作可能に設けられた可動役物（例えば可動役物１１５）と、演出において発光可能に設けられた発光手段（例えば枠ランプ１５７，１５７ａ，１５７ｂ，１５７ｃ，１５７ｄ）と、を備え、前記発光手段（例えば枠ランプ１５７，１５７ａ，１５７ｂ，１５７ｃ，１５７ｄ）は、前記可動役物（例えば可動役物１１５）の動作を確認する場合の確認結果を発光態様で報知し、確認結果が所定の場合でない場合に当該発光態様以外の他の発光態様で報知することを特徴とする遊技機（例えばパチンコ遊技機１００）である。
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
自動車用ボディの開口部に開閉可能に取り付けられ、インナーパネル及びアウターパネルを用いて構成されたバックドアであって、
該バックドアの上部には、上記自動車用ボディに対して該バックドアを開閉可能にするためのヒンジ部が設けられており、上記バックドアの下部には、上記自動車用ボディに該バックドアが閉じた状態をロックするためのロック部が設けられており、
上記インナーパネルにおける、上記アウターパネルに対向する外側面には、該インナーパネルを補強する補強部材が配置されており、
上記インナーパネルには、上記アウターパネルに近づくよう外側に膨らむインナー側ビード部が形成されており、
上記補強部材における、上記インナー側ビード部に対向する部位の一部には、上記アウターパネルに近づくよう外側に膨らむ補強側ビード部が形成されており、
上記アウターパネルには、該アウターパネルの表面形状が上記インナーパネルに近づくよう内側に折れ曲がって、略水平方向に伸びる曲折部を有する谷部が形成されており、
上記補強部材における、上記補強側ビード部を挟む両側の位置は、上記インナー側ビード部に溶接されており、
上記補強側ビード部と、上記曲折部又は該曲折部の近傍とは、接着剤によって接合されていることを特徴とするバックドア。
【請求項２】
上記補強部材は、上記バックドアにおける左右のランプの配設位置の周囲に配置されており、
上記バックドアにおける、上記左右のランプの配設位置には、ランプ用の第１穴が設けられており、
上記補強部材には、上記第１穴と重なる第２穴が設けられていることを特徴とする請求項１に記載のバックドア。
【請求項３】
上記補強側ビード部は、上記インナー側ビード部の一部に重なる位置に形成されていることを特徴とする請求項１又は２に記載のバックドア。
【請求項４】
上記補強部材は、上記バックドアの窓部の形成位置の下方及び側方に配置されていることを特徴とする請求項１〜３のいずれか１項に記載のバックドア。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
一対の中空断面形状からなる第１及び第２縦フレームと、当該第１及び第２縦フレームの両端部にそれぞれコーナーブラケットを介して連結した一対の中空断面形状からなる第１及び第２横フレームとを備え、
前記コーナーブラケットは前記縦フレーム及び横フレームの中空部に挿入される挿入部と、車体への取付部とを有することを特徴とするフレーム構造体。
【請求項２】
前記縦フレームと横フレームとは端面に相互の斜め突合せ部を有し、
前記コーナーブラケットは前記斜め突合せ部の間に差し込んだ差込み部を有することを特徴とする請求項１記載のフレーム構造体。
【請求項３】
前記コーナーブラケットの取付部は前記縦フレーム及び横フレーム外形延長線の内側に位置していることを特徴とする請求項１又は２記載のフレーム構造体。
【請求項４】
前記コーナーブラケットは、前記縦フレーム及び横フレームの外側の側面に延在するフランジ部を有することを特徴とする請求項１〜３のいずれかに記載のフレーム構造体。
【請求項５】
前記一対の縦フレーム間又は一対の横フレーム間の間を連結した中空断面形状の補助フレームを有し、前記縦又は横フレームと補助フレームとを中間ブラケットにて連結してあり、前記中間ブラケットは前記縦又は横フレーム及び補助フレームの中空部への挿入部又は／及び外側の側面に延在するフランジ部を有することを特徴とする請求項１〜４のいずれかに記載のフレーム構造体。
【手続補正２】
【補正対象書類名】明細書
【補正対象項目名】０００５
【補正方法】変更
【補正の内容】
【０００５】
本発明は、一対の中空断面形状からなる第１及び第２縦フレームと、当該第１及び第２縦フレームの両端部にそれぞれコーナーブラケットを介して連結した一対の中空断面形状からなる第１及び第２横フレームとを備え、前記コーナーブラケットは前記縦フレーム及び横フレームの中空部に挿入される挿入部と、車体への取付部とを有することを特徴とする。
ここで、縦フレーム，横フレームと表現したのは便宜上であり、本発明に係るフレーム構造体を車体に取付固定した場合に、例えば車両の前後方向に沿って縦フレームを配置した場合に車幅方向に横フレームを配置する等、相対的な位置関係を示したものであり、車両への取付方向に制限がない。
このようにコーナーブラケットに縦フレームの中空部への挿入部と横フレームの中空部への挿入部を形成したことにより、例えば縦フレームの外側から荷重を受けるとコーナーブラケットを介して、横フレームの中空断面に沿って荷重が伝幡し、横フレームの外側から荷重を受けるとコーナーブラケットを介して縦フレームの中空断面に沿って荷重が伝幡する。
よって、どのような方向からの衝撃荷重に対してもフレーム全体に衝撃力が分散する。
また、各コーナーブラケットの取付部にて車体に連結されているので、車体全体に荷重が分散する。
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
被写体を異なる視点位置から撮影した複数の画像情報を取得する取得手段と、
前記複数の画像情報を用いて前記被写体の３次元情報を生成する３次元情報生成手段と、
前記３次元情報を用いて立体物を生成する立体造形装置の構成に係わる情報を記憶するメモリ手段と、
前記３次元情報の座標系を決定する場合、前記座標系の座標軸を、前記３次元情報と前記構成に係わる情報に基づいて決定する座標系決定手段と、
を備えることを特徴とする画像情報処理装置。
【請求項２】
前記構成に係わる情報は、前記立体造形装置における硬化素材の主走査方向、副走査方向および積層方向の情報を含み、前記決定される座標系の座標軸は、前記主走査方向、副走査方向および積層方法に対応していることを特徴とする請求項１に記載の画像情報処理装置。
【請求項３】
前記被写体の重力方向の情報を取得する手段を有し、前記座標系決定手段は、前記重力方向に平行な方向に、前記積層方向に対応する座標軸を決定し、前記主走査方向に対応する座標軸および前記副走査方向に対応する座標軸を、互いに直交し、かつ前記積層方向に直交する方向に決定することを特徴とする請求項２に記載の画像情報処理装置。
【請求項４】
前記座標系決定手段は前記被写体の３次元情報から直線成分を検出する直線成分検出手段を有し、前記直線成分に基づいて前記座標系を決定することを特徴とする請求項３に記載の画像情報処理装置。
【請求項５】
前記３次元情報生成手段は、前記直線成分のうち同じ方向の直線成分が最も多い方向に前記主走査方向に対応する座標軸を決定し、前記直線成分検出手段は、前記検出された直線成分のうちの略直交する直線成分のそれぞれについての和を生成し、前記直線成分のうち同じ方向の直線成分が最も多い方向は、前記和が最も大きい直線成分の方向であることを特徴とする請求項４記載の画像情報処理装置。
【請求項６】
前記座標系決定手段は、前記座標系の少なくとも１つの座標軸をユーザー入力に従って選択する選択手段を有し、前記選択手段は、前記検出された直線成分を識別可能に表示する手段を有することを特徴とする請求項４に記載の画像情報処理装置。
【請求項７】
前記座標系決定手段は、少なくとも所定量の前記画像情報から生成された３次元情報について前記座標系を決定し、前記３次元情報生成手段は、前記決定された座標系に基づいて３次元情報を再生成することを特徴とする請求項３から６のいずれか１項に記載の画像情報処理装置。
【請求項８】
被写体を異なる視点位置から撮影した複数の画像情報を取得する取得工程と、
前記複数の画像情報を用いて前記被写体の３次元情報を生成する３次元情報生成工程と、
前記３次元情報を用いて立体物を生成する立体造形装置の構成に係わる情報をメモリに記憶する記憶工程と、
前記３次元情報の座標系を決定する場合、前記座標系の座標軸を、前記３次元情報と前記構成に係わる情報に基づいて決定する座標系決定工程と、
を備えることを特徴とする画像情報処理方法。
【請求項９】
画像処理装置を制御するためのプログラムであり、
コンピュータを、
被写体を異なる視点位置から撮影した複数の画像情報を取得する取得手段、
前記複数の画像情報を用いて前記被写体の３次元情報を生成する３次元情報生成手段、
前記３次元情報を用いて立体物を生成する立体造形装置の構成に係わる情報をメモリに記憶する記憶手段、
前記３次元情報の座標系を決定する決定手段であり、前記座標系の座標軸を、前記３次元情報と前記構成に係わる情報に基づいて決定する座標系決定手段として機能させることを特徴とするプログラム。
【請求項１０】
請求項９に記載のプログラムを記憶するコンピュータが読み取り可能な記憶媒体。
【請求項１１】
被写体を異なる視点位置から撮影して複数の画像情報を生成する撮像手段と、
前記複数の画像情報を用いて前記被写体の３次元情報を生成する３次元情報生成手段と、
前記３次元情報を用いて立体物を生成する立体造形装置の構成に係わる情報を記憶するメモリ手段と、
前記３次元情報の座標系を決定する場合、前記座標系の座標軸を、前記３次元情報と前記構成に係わる情報に基づいて決定する座標系決定手段と、
を備えることを特徴とする撮像装置。
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
電子デバイスに電気接続するのに適しており、
第１ファブリック層と、
導電性の第２ファブリック層と、
第３ファブリック層と
を含み、前記第１ファブリック層、前記第２ファブリック層および前記第３ファブリック層が、互いに結合され、前記第２ファブリック層が、前記第１ファブリック層と前記第３ファブリック層の間に配置され、前記第３ファブリック層が、開口を有し、前記第２ファブリック層が、前記開口を覆い、且つ前記第２ファブリック層の一部が前記開口から露出し、
前記電子デバイスが、前記第２ファブリック層に電気接続され、前記電子デバイスと前記第２ファブリック層との接合点が、前記開口から離れている織物構造。
【請求項２】
前記第１ファブリック層、前記第２ファブリック層および前記第３ファブリック層が、縫合、ホットプレスまたは接着により互いに結合された請求項１に記載の織物構造。
【請求項３】
前記第２ファブリック層が、ステンレス鋼ファブリック、銀ファブリックまたはカーボン繊維ファブリックである請求項１に記載の織物構造。
【請求項４】
前記第３ファブリック層が、通気性を備える請求項１に記載の織物構造。
【請求項５】
前記第３ファブリック層が、疎水性を備える請求項１に記載の織物構造。
【請求項６】
前記第１ファブリック層と前記第２ファブリック層の間に配置された疎水性の薄膜をさらに含む請求項１に記載の織物構造。
【請求項７】
前記薄膜が、プラスチック材料であり、ホットプレスにより前記第１ファブリック層と前記第３ファブリック層の間に結合された請求項６に記載の織物構造。
【請求項８】
前記薄膜が、通気性を備える請求項６に記載の織物構造。
【請求項９】
前記第２ファブリック層の面積が、前記薄膜の面積よりも小さいか、それに等しい請求項６に記載の織物構造。
【請求項１０】
前記第１ファブリック層と前記第２ファブリック層を貫通して、少なくともこれらを一緒に保持し、前記電子デバイスに電気接続されたファスナーをさらに含む請求項６に記載の織物構造。
【請求項１１】
前記第２ファブリック層と前記薄膜の間に配置されるとともに、前記開口に対応し、前記開口内に配置された吸水弾性層をさらに含み、前記第２ファブリック層が、前記吸水弾性層により押し付けられて、前記開口の外へ部分的に突出する請求項６に記載の織物構造。
【請求項１２】
前記吸水弾性層の材料が、ポリビニルアルコール（ＰＶＡ）、ネオプレン、エチレン酢酸ビニル（ＥＶＡ）、ポリビニルブチラール（ＰＶＢ）またはポリウレタンの弾性ゴムを含む請求項１１に記載の織物構造。
【請求項１３】
前記第２ファブリック層と前記吸水弾性層の間に配置され、前記第２ファブリック層の吸水性よりも高い疎水性を有する第４ファブリック層をさらに含む請求項１１に記載の織物構造。
【請求項１４】
第１ファブリック層と、
導電性の第２ファブリック層と、
開口を有する第３ファブリック層と、
第４ファブリック層と、
前記第４ファブリック層と前記第１ファブリック層の間に配置された吸水弾性層と
を含み、前記第１ファブリック層、前記第２ファブリック層、前記第３ファブリック層および前記第４ファブリック層が、互いに結合され、前記第２ファブリック層が、前記第１ファブリック層と前記第３ファブリック層の間に配置され、前記第４ファブリック層が、前記第２ファブリック層と前記第１ファブリック層の間に配置され、前記第２ファブリック層は、前記開口を覆い、前記第２ファブリック層の一部が、前記開口から露出し、前記第４ファブリック層が、前記開口に対応し、前記第４ファブリック層の吸水性が、前記第２ファブリック層の吸水性よりも高く、水分が前記第４ファブリック層により、前記吸水弾性層から前記第２ファブリック層に導かれ、一定量の水分が前記吸水弾性層に維持されるように前記第２ファブリック層に供給される織物構造。
【請求項１５】
前記第２ファブリック層が、第１端および第１端に相対する第２端を有し、前記第１端が、前記開口を介して人体に電気的に接触し、前記第２端が、電子デバイスに電気接続されている請求項１４に記載の織物構造。
【請求項１６】
前記第１ファブリック層、前記第２ファブリック層、前記第３ファブリック層および前記第４ファブリック層が、縫合またはホットプレスにより互いに結合された請求項１４に記載の織物構造。
【請求項１７】
前記第２ファブリック層が、ステンレス鋼ファブリック、銀繊維ファブリックまたはカーボン繊維ファブリックである請求項１４に記載の織物構造。
【請求項１８】
前記第３ファブリック層が、通気性を備える請求項１４に記載の織物構造。
【請求項１９】
前記第３ファブリック層が、疎水性を備える請求項１４に記載の織物構造。
【請求項２０】
前記第１ファブリック層と前記第４ファブリック層の間に配置された疎水性の薄膜をさらに含む請求項１４に記載の織物構造。
【請求項２１】
前記薄膜が、プラスチック材料であり、ホットプレスにより前記第１ファブリック層と前記第３ファブリック層の間に結合された請求項２０に記載の織物構造。
【請求項２２】
前記薄膜が、通気性を備える請求項２０に記載の織物構造。
【請求項２３】
前記第２ファブリック層の面積が、前記薄膜の面積よりも小さいか、それに等しい請求項２０に記載の織物構造。
【請求項２４】
前記第１ファブリック層と前記第２ファブリック層を貫通して、少なくともこれらを一緒に保持し、前記電子デバイスに電気接続されたファスナーをさらに含む請求項２０に記載の織物構造。
【請求項２５】
前記吸水弾性層が、前記第４ファブリック層と前記薄膜の間に配置されるとともに、前記開口に対応し、前記開口内に配置され、前記第２ファブリック層が、前記吸水弾性層により押し付けられて、前記開口の外へ部分的に突出する請求項２０に記載の織物構造。
【請求項２６】
前記吸水弾性層の材料が、ポリビニルアルコール（ＰＶＡ）、ネオプレン、エチレン酢酸ビニル（ＥＶＡ）、ポリビニルブチラール（ＰＶＢ）またはポリウレタンの弾性ゴムを含む請求項２５に記載の織物構造。
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
強化繊維複合材でできた対象物に、強化繊維複合材でできたパッチを接合する接合装置であって、
前記対象物のコーナー部の被接合部位に配置された前記パッチを、印加される力に応答して前記対象物の前記コーナー部の前記被接合部位に押付ける押圧部材と、
前記押圧部材に前記印加される力を付与する付勢部と、
を具備する接合装置。
【請求項２】
前記押圧部材は、
前記コーナー部から前記対象物に沿って第１方向に延びる第１板部と、
前記コーナー部から前記対象物に沿って、前記第１方向とは異なる第２方向に延びる第２板部と、
を備え、
前記印加される力に応答して前記第１板部と前記第２板部とで前記対象物を押圧する
請求項１に記載の接合装置。
【請求項３】
前記押圧部材は、
前記コーナー部から前記対象物に沿って第１方向に延びる第１板部と、
前記コーナー部から前記対象物に沿って、前記第１方向とは異なる第２方向に延びる第２板部と、
前記第１板部と前記第２板部との間を通って前記コーナー部を押圧する弾性加圧体と、
を備え、
前記弾性加圧体は、前記印加される力が付与される受圧面と、前記印加される力に応答して前記第１板部と前記第２板部との間の隙間を通って前記コーナー部を押圧する加圧部とを有する
請求項１に記載の接合装置。
【請求項４】
前記弾性加圧体は、デュロメータ硬度が１０以上５５以下である
請求項３に記載の接合装置。
【請求項５】
前記弾性加圧体には、高熱伝導材料が添加されている
請求項３又は４に記載の接合装置。
【請求項６】
前記パッチを加熱する加熱装置と、
前記対象物における前記被接合部位を含む表面部分、前記パッチ、前記加熱装置、および前記押圧部材を被うバッグ材と、
を更に具備し、
前記バッグ材の内部は減圧され、
前記印加される力は、その内部が減圧された前記バッグ材を介して前記押圧部材を前記コーナー部に向かう方向に付勢する大気圧である
請求項１乃至５のいずれか一項に記載の接合装置。
【請求項７】
前記パッチを加熱する加熱装置と、
前記対象物における前記被接合部位を含む表面部分、前記パッチ、前記加熱装置、および前記押圧部材を被うバッグ材と、
を更に具備し、
前記バッグ材の内部は減圧され、
前記付勢部は、前記バッグ材と前記対象物とにより形成される密閉空間の外部に配置され、前記押圧部材を前記パッチに向けて付勢する
請求項１に記載の接合装置。
【請求項８】
前記付勢部は、前記コーナー部と、前記コーナー部から延びる前記対象物の部分とに前記印加される力を付与する付与部材を有する
請求項７に記載の接合装置。
【請求項９】
前記付勢部は、傾斜ブロックとスライドブロックとを更に備え、
前記傾斜ブロックは、前記スライドブロックおよび前記付与部材が摺動する摺動斜面を有し、
前記スライドブロックは、前記摺動斜面に沿って摺動することにより、前記コーナー部の方向とは異なる方向のクランプ力を、前記コーナー部の方向の前記印加される力に変換して前記付与部材に伝達する
請求項８に記載の接合装置。
【請求項１０】
前記傾斜ブロック、前記スライドブロックおよび前記付与部材は、前記対象物における前記被接合部位側に配置され、
前記付勢部は、前記対象物における前記被接合部位側の裏面側に、前記クランプ力を印加するバックブロックを更に有する
請求項９に記載の接合装置。
【請求項１１】
強化繊維複合材でできた対象物に、強化繊維複合材でできたパッチを接合する接合方法であって、
減圧ポートを有するバッグ材と、加熱装置と、パッチの表面を押圧する押圧部材とを準備する工程と、
前記対象物のコーナー部の被接合部位に、前記パッチを配置する工程と、
前記コーナー部の前記被接合部位に向けて前記押圧部材を配置する工程と、
前記バッグ材と前記対象物とにより、前記パッチ、前記パッチを加熱するための前記加熱装置、および、前記押圧部材を含む密閉空間を形成する工程と、
前記密閉空間の内部を減圧する工程と、
前記パッチが前記対象物の前記コーナー部の前記被接合部位に接合されるように、前記押圧部材により前記バック材を介して前記パッチを前記コーナー部の前記被接合部位に向けて押圧する工程と、
前記加熱装置によって、前記対象物と前記パッチとを加熱して接合する工程と、
を具備する
接合方法。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
用紙を格納可能な複数の格納部を備え、用紙名称と用紙属性を含む用紙情報を複数備える用紙リスト情報に基づいて、印刷ジョブの実行に用いる用紙の格納部を決定可能な画像形成装置において、
印刷ジョブリストの中から選択された印刷ジョブに設定された用紙属性を備える用紙情報の一覧を備える一覧画面を表示デバイスに表示させる表示制御手段と、
前記一覧画面に表示された用紙情報の一覧の中から前記印刷ジョブに実行に用いる用紙情報の選択を受け付ける手段と、
を有することを特徴とする画像形成装置。
【請求項２】
前記表示制御手段は、前記印刷ジョブに設定された特定の属性情報が前記複数の格納部に関連付けられた用紙情報に含まれる場合に、操作者の確認が必要であることを示すように表示することを特徴とする請求項１に記載の画像形成装置。
【請求項３】
前記表示制御手段は、前記操作者の確認が必要であることを示す場合に、その旨を示す予め定められたアイコンを、当該印刷ジョブが表示されている位置に表示することを特徴とする請求項２に記載の画像形成装置。
【請求項４】
前記表示制御手段は、前記操作者が確認操作にしたがって、前記アイコンを非表示にすることを特徴とする請求項３に記載の画像形成装置。
【請求項５】
前記表示制御手段は、さらに、前記印刷ジョブに使用する用紙のいずれかが、前記複数の格納部のいずれにも載置されていない場合に、使用すべき用紙が無いことを示すアイコンを、当該印刷ジョブが表示されている位置に表示することを特徴とする請求項１乃至４の何れか１項に記載の画像形成装置。
【請求項６】
前記表示制御手段は、さらに、前記印刷ジョブに使用する全ての用紙が、前記複数の格納部のいずれかに載置されている場合に、用紙があることを示すアイコンを、当該印刷ジョブが表示されている位置に表示することを特徴とする請求項１乃至５の何れか１項に記載の画像形成装置。
【請求項７】
印刷ジョブの実行指示にしたがって用紙に画像形成する画像形成デバイスを備えることを特徴とする請求項１乃至６のいずれか１項に記載の画像形成装置。
【請求項８】
前記印刷ジョブに関連付けられた属性情報を備える用紙情報であって格納部に対応付けられた用紙情報が複数ある場合に、複数の前記用紙情報の１つを画像形成に使用する用紙として仮決定するジョブ制御手段をさらに備えることを特徴とする請求項７に記載の画像形成装置。
【請求項９】
前記ジョブ制御手段は、さらに、画像形成を開始する開始指示を受け付けた印刷ジョブが、操作者の確認が必要である場合に、印刷ジョブが実行されないように制御することを特徴とする請求項８に記載の画像形成装置。
【請求項１０】
前記表示制御手段は、前記操作者の確認が必要である場合に、当該印刷ジョブに関する確認を該操作者に行わせる確認画面を前記表示デバイスに表示させることを特徴とする請求項９に記載の画像形成装置。
【請求項１１】
前記一覧画面に配置される用紙情報は、前記用紙リスト情報に含まれる用紙情報のうち、印刷ジョブに設定された属性情報を備える用紙情報であることを特徴とする請求項１乃至１０の何れか１項に記載の画像形成装置。
【請求項１２】
前記一覧画面に配置される用紙情報は、前記用紙リスト情報に含まれる用紙情報のうち、対応する格納部が関連付けられ且つ印刷ジョブに設定された属性情報を備える用紙情報であることを特徴とする請求項１乃至１０の何れか１項に記載の画像形成装置。
【請求項１３】
用紙を格納可能な複数の格納部を備え、用紙名称と用紙属性を含む用紙情報を複数備える用紙リスト情報に基づいて、前記複数の格納部のなかから印刷ジョブの実行に用いる用紙を取得する格納部を決定可能な画像形成装置の制御方法において、
印刷ジョブリストの中から選択された印刷ジョブに設定された用紙属性を備える用紙情報の一覧を備える一覧画面を表示デバイスに表示させる工程と、
前記一覧画面に表示された用紙情報の一覧の中から前記印刷ジョブに実行に用いる用紙情報の選択を受け付ける工程と、
を有することを特徴とする制御方法。
【手続補正２】
【補正対象書類名】明細書
【補正対象項目名】発明の名称
【補正方法】変更
【補正の内容】
【発明の名称】画像形成装置、及びその制御方法
【手続補正３】
【補正対象書類名】明細書
【補正対象項目名】０００１
【補正方法】変更
【補正の内容】
【０００１】
本発明は、ジョブを保存し、保存したジョブを実行する画像形成装置、及びその制御方法に関するものである。
【手続補正４】
【補正対象書類名】明細書
【補正対象項目名】０００５
【補正方法】変更
【補正の内容】
【０００５】
しかしながら、上記従来技術には以下に記載する問題がある。例えば、印刷装置が備えるシート収納部にジョブで使用するシートの属性情報が登録されている場合、ユーザは、ジョブで使用するシートの属性情報がいずれかのシート収納部に登録されていることを確認することはできる。しかし、印刷ジョブが使用する用紙を用紙情報などのユニークでない情報を使って指定されている場合、印刷装置に登録されている又はカセットにセットされている複数の用紙と当該指定が一致（マッチ）する場合がある。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明は、用紙を格納可能な複数の格納部を備え、用紙名称と用紙属性を含む用紙情報を複数備える用紙リスト情報に基づいて、印刷ジョブの実行に用いる用紙の格納部を決定可能な画像形成装置において、印刷ジョブリストの中から選択された印刷ジョブに設定された用紙属性を備える用紙情報の一覧を備える一覧画面を表示デバイスに表示させる表示制御手段と、前記一覧画面に表示された用紙情報の一覧の中から前記印刷ジョブに実行に用いる用紙情報の選択を受け付ける手段と、を格納部格納部印刷ジョブ格納部印刷ジョブ印刷ジョブ格納部印刷ジョブ備えることを特徴とする。
【手続補正７】
【補正対象書類名】明細書
【補正対象項目名】０００８
【補正方法】変更
【補正の内容】
【０００８】
本発明によれば、印刷ジョブで指定された用紙に対して、現在の用紙の状況確認できる。
【手続補正書】
【提出日】平成29年11月15日(2017.11.15)
【手続補正１】
【補正対象書類名】明細書
【補正対象項目名】発明の名称
【補正方法】変更
【補正の内容】
【発明の名称】印刷装置
【手続補正２】
【補正対象書類名】明細書
【補正対象項目名】０００１
【補正方法】変更
【補正の内容】
【０００１】
本発明は、印刷装置に関し、特に、高速に両面印刷処理を行う印刷装置に関する。
【手続補正３】
【補正対象書類名】明細書
【補正対象項目名】０００５
【補正方法】変更
【補正の内容】
【０００５】
しかしながら、特許文献２の技術では、印刷が開始される用紙に対応する画像処理データが受信されていない用紙には当該画像処理データが受信されるまで印刷が行われないので、印刷処理の効率が悪くなる。
【手続補正４】
【補正対象書類名】明細書
【補正対象項目名】０００６
【補正方法】変更
【補正の内容】
【０００６】
本発明の目的は、効率的に印刷処理を行うことができる印刷装置を提供することにある。
【手続補正５】
【補正対象書類名】明細書
【補正対象項目名】０００７
【補正方法】変更
【補正の内容】
【０００７】
上記目的を達成するために、本発明の印刷装置は、両面印刷が可能な印刷装置であって、画像データを受信する受信手段と、前記受信手段により受信された画像データに基づき、シートに画像を印刷する印刷手段と、時間を測定するタイマーと、１枚目のシートの第１面への印刷実行を前記印刷手段に指示した後、前記タイマーによって測定される経過時間が所定時間に達するまでに２枚目のシートの第１面に印刷すべき画像データを前記受信手段が受信したか否かに基づき、前記１枚目のシートの第１面の印刷の次に、当該１枚目のシートの第２面の印刷を行わせるか、前記２枚目のシートの第１面の印刷を行わせるかを判断する制御手段と、を備えることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明によれば、他の用紙の表面及び裏面のいずれかに印刷するための印刷データが受信されるのを長時間待ち続けること無く印刷処理を継続することができるため、効率的に印刷処理を行うことができる。
【手続補正８】
【補正対象書類名】特許請求の範囲
【補正対象項目名】全文
【補正方法】変更
【補正の内容】
【特許請求の範囲】
【請求項１】
両面印刷が可能な印刷装置であって、
画像データを受信する受信手段と、
前記受信手段により受信された画像データに基づき、シートに画像を印刷する印刷手段と、
時間を測定するタイマーと、
１枚目のシートの第１面への印刷実行を前記印刷手段に指示した後、前記タイマーによって測定される経過時間が所定時間に達するまでに２枚目のシートの第１面に印刷すべき画像データを前記受信手段が受信したか否かに基づき、前記１枚目のシートの第１面の印刷の次に、当該１枚目のシートの第２面の印刷を行わせるか、前記２枚目のシートの第１面の印刷を行わせるかを判断する制御手段と、
を備えることを特徴とする印刷装置。
【請求項２】
前記制御手段は、前記経過時間が前記所定時間に達するまでに前記２枚目のシートの第１面に印刷すべき画像データを前記受信手段が受信した場合は、前記１枚目のシートの第１面の印刷の次に、前記２枚目のシートの第１面の印刷を行わせると判断し、前記経過時間が前記所定時間に達するまでに前記２枚目のシートの第１面に印刷すべき画像データを前記受信手段が受信しなかった場合は、前記１枚目のシートの第１面の印刷の次に、当該１枚目のシートの第２面の印刷を行わせると判断することを特徴とする請求項１に記載の印刷装置。
【請求項３】
前記制御手段は、前記１枚目のシートの第１面の印刷の次に、当該１枚目のシートの第２面の印刷を行わせた場合に、前記２枚目のシートの第２面の印刷よりも先に３枚目のシートの第１面の印刷を行わせることを特徴とする請求項１又は２に記載の印刷装置。
【請求項４】
前記１枚目のシートの第１面に印刷するのは２ページ目の画像データであり、前記２枚目のシートの第１面に印刷するのは４ページ目の画像データであることを特徴とする請求項１乃至３の何れか１項に記載の印刷装置。
【請求項５】
シートの第１面を印刷した後、当該シートの第２面を印刷するために当該シートを搬送する搬送手段を更に備え、
前記所定時間は、前記搬送手段によるシートの搬送に要する時間に基づいて設定された値であることを特徴とする請求項１乃至４のいずれか１項に記載の印刷装置。
【請求項６】
両面印刷が可能な印刷装置であって、
画像データを受信する受信手段と、
前記受信手段により受信された画像データに基づき、シートに画像を印刷する印刷手段と、
時間を測定するタイマーと、
Ｎを２以上の整数としたとき、Ｎ−１枚目のシートの第１面への印刷実行を前記印刷手段に指示した後、前記タイマーによって測定される経過時間が所定時間に達するまでにＮ枚目のシートの第１面に印刷すべき画像データを前記受信手段が受信したか否かに基づき、前記Ｎ−１枚目のシートの第１面の印刷の次に、前記Ｎ−１枚目のシートの第２面の印刷を行わせるか、前記Ｎ枚目のシートの第１面の印刷を行わせるかを判断する制御手段と、
を備えることを特徴とする印刷装置。
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
記録媒体に印刷を行う印刷部と、
データを受信する第１受信部と、
前記第１受信部で受信したデータを格納する第１受信バッファーと、
データを受信する第２受信部と、
前記第２受信部で受信したデータを格納する第２受信バッファーと、
処理対象を前記第１受信バッファー、及び、前記第２受信バッファーのいずれかに切り替え、処理対象としたバッファーに格納されたデータに基づいて前記印刷部を制御する印刷制御部と、を備え、
前記印刷制御部は、
処理対象が前記第１受信バッファーとなっているときであり、前記第１受信バッファーに格納されたデータに基づく前記印刷部の制御が所定の制御状態となった場合、処理対象を前記第１受信バッファーから前記第２受信バッファーへと切り替え、前記第２受信バッファーに格納されたデータに基づく前記印刷部の制御が終了した場合、処理対象を前記第１受信バッファーに切り替える
ことを特徴とする印刷装置。
【請求項２】
前記印刷制御部は、
処理対象が前記第１受信バッファーとなっているときであり、前記第２受信バッファーにデータが格納された状態の場合、前記第１受信バッファーに格納されたデータに基づく前記印刷部の制御が終了後、所定期間が経過したときに、処理対象を前記第２受信バッファーに切り替えることを特徴とする請求項１に記載の印刷装置。
【請求項３】
データは、複数のコマンドで構成され、
前記印刷制御部は、
処理対象が前記第１受信バッファーとなっているときであり、前記第２受信バッファーにデータが格納された状態の場合、前記第１受信バッファーに格納されたデータに含まれるコマンドのうち、特定のコマンドに基づく前記印刷部の制御が終了後、処理対象を前記第２受信バッファーに切り替えることを特徴とする請求項１に記載の印刷装置。
【請求項４】
レシートを発行させるデータを送信するＰＯＳ端末と、
所定の情報が印刷された紙片を発行させるデータを送信する制御装置と、
記録媒体に印刷を行い、前記記録媒体を切断して前記レシート又は前記紙片を発行する印刷部、前記ＰＯＳ端末からデータを受信する第１受信部、前記第１受信部で受信したデータを格納する第１受信バッファー、前記制御装置からデータを受信する第２受信部、前記第２受信部で受信したデータを格納する第２受信バッファー、及び、処理対象を前記第１受信バッファーと前記第２受信バッファーとのいずれかに切り替え、処理対象としたバッファーに格納されたデータに基づいて前記印刷部を制御する印刷制御部を有する印刷装置と、を備え、
前記印刷装置の前記印刷制御部は、処理対象が前記第１受信バッファーとなっているときであり、前記第１受信バッファーに格納されたデータに基づく前記印刷部の制御が所定の制御状態となった場合、処理対象を前記第１受信バッファーから前記第２受信バッファーへと切り替え、前記第２受信バッファーに格納されたデータに基づく前記印刷部の制御が終了した場合、処理対象を前記第１受信バッファーに切り替えることを特徴とする印刷システム。
【請求項５】
前記印刷装置の前記印刷制御部は、
処理対象が前記第１受信バッファーとなっているときであり、前記第２受信バッファーにデータが格納された状態の場合、前記第１受信バッファーに格納されたデータに基づく前記印刷部の制御が終了後、所定期間が経過したときに、処理対象を前記第２受信バッファーに切り替えることを特徴とする請求項４に記載の印刷システム。
【請求項６】
データは、複数のコマンドを含み、
前記印刷装置の前記印刷制御部は、
処理対象が前記第１受信バッファーとなっているときであり、前記第２受信バッファーにデータが格納された状態の場合、前記第１受信バッファーに格納されたデータに含まれるコマンドのうち、特定のコマンドに基づく前記印刷部の制御が終了後、処理対象を前記第２受信バッファーに切り替えることを特徴とする請求項４に記載の印刷システム。
【請求項７】
前記印刷装置の前記第１受信部は、有線通信で前記ＰＯＳ端末からデータを受信し、
前記印刷装置の前記第２受信部は、無線通信で前記制御装置からデータを受信することを特徴とする請求項４乃至６のいずれか１項に記載の印刷システム。
【手続補正書】
【提出日】平成29年2月8日(2017.2.8)
【手続補正１】
【補正対象書類名】明細書
【補正対象項目名】００２２
【補正方法】変更
【補正の内容】
【００２２】
鋳造に際し、空洞部３は、開口部４に塗布した塗型剤によって支持される。空洞部３を支持する開口部４の塗型剤を、断面２次モーメントＩ、鉛直方向の板厚ｈ、長さＬの梁と仮定する。梁理論から、端部に浮力Ｆが作用する片持ち梁の最大応力σmaxを求めると、次の式（３）のように概算される。なお、開口部４内の砂が荷重を負担しないことを前提にしている。
σmax＝Ｍ／Ｉ×ｈ／２＝ｈＦＬ／２Ｉ＝ｈＶ（ρm−ρs）Ｌ／２Ｉ  ・・・式（３）
【手続補正２】
【補正対象書類名】明細書
【補正対象項目名】００２５
【補正方法】変更
【補正の内容】
【００２５】
例えば、開口部４を円柱状とすると、塗型剤は円管状の層となる。開口部４の円柱の直径をＤ、塗型剤の厚みをｔとすると、断面２次モーメントＩは以下の式（６）で表せる。また、鉛直方向の板厚ｈは以下の式（７）で表せる。
Ｉ＝π｛Ｄ4−（Ｄ−２ｔ）4｝／６４  ・・・式（６）
ｈ＝Ｄ  ・・・式（７）
【手続補正３】
【補正対象書類名】明細書
【補正対象項目名】００３０
【補正方法】変更
【補正の内容】
【００３０】
開口部４の塗型剤の断面積をＡとして、梁理論から、端部に浮力Ｆが作用する片持ち梁の最大応力σmaxを求めると、次の式（１１）のように概算される。
σmax＝Ｍ／Ｉ×ｈ／２−Ｆａ＝ｈＦｖＬ／２Ｉ−Ｆａ
＝Ｖ（ρm−ρs）｛（ｈＬ／２Ｉ）ｓｉｎθ−ｃｏｓθ｝  ・・・式（１１）
【手続補正４】
【補正対象書類名】明細書
【補正対象項目名】００３７
【補正方法】変更
【補正の内容】
【００３７】
ねずみ鋳鉄の密度および自硬性砂のかさ密度を式（２）に代入すると、以下のようになる。
Ｆ＝Ｖ（ρm−ρs）＝５０×５０×１００×（７．１−１．４）×１０-6ｋｇｆ
＝１．４ｋｇｆ＝１４Ｎ
【手続補正５】
【補正対象書類名】明細書
【補正対象項目名】００３８
【補正方法】変更
【補正の内容】
【００３８】
ここで、熱間強度σｂが不明の塗型剤を２度塗りし、塗型剤の平均厚みを０．８ｍｍとした。なお、塗型剤の熱間強度を直接測定することは困難である。式（６）に代入して、開口部の塗型剤の断面２次モーメントＩを求めると、以下のようになる。
Ｉ＝π｛１６4−（１６−２×０．８）4｝／６４＝１．１×１０3
【手続補正６】
【補正対象書類名】明細書
【補正対象項目名】００３９
【補正方法】変更
【補正の内容】
【００３９】
また、式（３）の右辺は、以下のようになる。
ｈＶ（ρm−ρs）Ｌ／２Ｉ＝１６×１４×２５／（２×（１．１×１０3））
＝８×１４×２５／（１．１×１０3）
＝２．５ＭＰａ